【手続補正書】
【提出日】平成17年5月17日(2005.5.17)
【手続補正１】
【補正対象書類名】明細書
【補正対象項目名】特許請求の範囲
【補正方法】変更
【補正の内容】
【特許請求の範囲】
【請求項１】
複数枚を重ねて所定の間隔で配置した第１から第ｎの液晶層（ｎは２以上の整数）と、
前記第１の液晶層の視認側に配した、透過容易軸と平行な振動面は透過し、透過容易軸と直交する振動面を吸収する吸収型偏光板と、
前記第１から第ｎの液晶層のそれぞれの間に配した、透過容易軸と直交する振動面は反射し、透過容易軸と平行な振動面を透過させる第１から第ｎ−１の反射型偏光板と、
前記第ｎの液晶層の視認側とは反対側に配した第ｎの反射型偏光板とを備え、
前記第１から第ｎの液晶層における各液晶層をそれぞれ制御することにより、３次元立体像の表示を可能としたことを特徴とする液晶表示装置。
【請求項２】
前記吸収型偏光板の透過容易軸と、前記第１の反射型偏光板の透過容易軸とを直交させ、
前記第ｋ−１の反射型偏光板（ｋは２からｎまでの整数）の透過容易軸と、第ｋの反射型偏光板の透過容易軸とを直交させたことを特徴とする請求項１に記載の液晶表示装置。
【請求項３】
前記第１の液晶層から前記第ｎの液晶層の少なくとも２層以上の液晶層は、前記吸収型偏光板または前記反射型偏光板における透過容易軸の直線偏光に対して、位相または強度変調を行うことを特徴とする請求項１または２に記載の液晶表示装置。
【請求項４】
前記第１の液晶層から前記第ｎの液晶層の少なくとも２層以上の液晶層は、ツイストネマティック液晶であることを特徴とする請求項１から３のいずれか一項に記載の液晶表示装置。
【請求項５】
前記第１の液晶層から前記第ｎの液晶層の少なくとも２層以上の液晶層は、スーパーツイストネマティック液晶であることを特徴とする請求項１から３のいずれか一項に記載の液晶表示装置。
【請求項６】
前記第１の液晶層から前記第ｎの液晶層の少なくとも２層以上の液晶層は、強誘電性液晶であることを特徴とする請求項１から３のいずれか一項に記載の液晶表示装置。
【請求項７】
前記第１の液晶層から前記第ｎの液晶層の少なくとも２層以上の液晶層は、反強誘電性液晶であることを特徴とする請求項１から３のいずれか一項に記載の液晶表示装置。
【請求項８】
前記第１の液晶層から前記第ｎの液晶層は、ツイストネマティック液晶であり、
前記吸収型偏光板の透過容易軸と、前記第１の液晶層の視認側のダイレクタの方向とを
平行または直交させ、
前記第ｋ−１の反射型偏光板の透過容易軸の方向と、第ｋの液晶層の視認側のダイレクタの方向とを平行または直交させて配置したことを特徴とする請求項２に記載の液晶表示装置。
【請求項９】
前記第ｎの反射型偏光板の視認側とは反対側に、反射板を備えることを特徴とする請求項８に記載の液晶表示装置。
【請求項１０】
前記第ｎの反射型偏光板の視認側とは反対側に、バックライトを備えることを特徴とする請求項８に記載の液晶表示装置。
【請求項１１】
前記バックライトは、ＥＬ、ＬＥＤ、熱陰極管、または冷陰極管であることを特徴とする請求項１０に記載の液晶表示装置。
【請求項１２】
前記第ｎの反射型偏光板の視認側とは反対側に、色フィルターを備えることを特徴とする請求項８に記載の液晶表示装置。
【請求項１３】
前記色フィルターは、吸収型の色偏光板、誘電体多層膜フィルター、または吸収型フィルターであることを特徴とする請求項１２に記載の液晶表示装置。
【請求項１４】
前記色フィルターの視認側とは反対側に、反射板を備えることを特徴とする請求項１２または１３に記載の液晶表示装置。
【請求項１５】
前記色フィルターの視認側とは反対側に、バックライトを備えることを特徴とする請求項１２または１３に記載の液晶表示装置。
【請求項１６】
前記バックライトは、ＥＬ、ＬＥＤ、熱陰極管、または冷陰極管であることを特徴とする請求項１５に記載の液晶表示装置。
【請求項１７】
前記第ｎの反射型偏光板の視認側とは反対側に、半透過反射板を備え、
さらに、前記半透過反射板の視認側とは反対側にバックライトを備えることを特徴とする請求項８に記載の液晶表示装置。
【請求項１８】
前記バックライトは、ＥＬ、ＬＥＤ、熱陰極管、または冷陰極管であることを特徴とする請求項１７に記載の液晶表示装置。
【請求項１９】
前記色フィルターの視認側とは反対側に、半透過反射板を備え、
さらに、前記半透過反射板の視認側とは反対側にバックライトを備えることを特徴とする請求項１２または１３に記載の液晶表示装置。
【請求項２０】
前記バックライトは、ＥＬ、ＬＥＤ、熱陰極管、または冷陰極管であることを特徴とする請求項１９に記載の液晶表示装置。
【手続補正２】
【補正対象書類名】明細書
【補正対象項目名】０００８
【補正方法】変更
【補正の内容】
【０００８】
本発明による液晶表示装置の構成は、複数枚を重ねて所定の間隔で配置した第１から第ｎの液晶層（ｎは２以上の整数）と、第１の液晶層の視認側に配した、透過容易軸と平行
な振動面は透過し、透過容易軸と直交する振動面を吸収する吸収型偏光板と、第１から第ｎの液晶層のそれぞれの間に配した、透過容易軸と直交する振動面は反射し、透過容易軸と平行な振動面を透過させる第１から第ｎ−１の反射型偏光板と、第ｎの液晶層の視認側とは反対側に配した第ｎの反射型偏光板とを備え、第１から第ｎの液晶層における各液晶層をそれぞれ制御することにより、３次元立体像の表示を可能とした構成を採用したものである。
【手続補正３】
【補正対象書類名】明細書
【補正対象項目名】０００９
【補正方法】変更
【補正の内容】
【０００９】
また、本発明による液晶表示装置の構成は、前述した吸収型偏光板の透過容易軸と、第１の反射型偏光板の透過容易軸とを直交させて、第ｋ−１の反射型偏光板（ｋは２からｎまでの整数）の透過容易軸と、第ｋの反射型偏光板の透過容易軸とを直交させるのが好ましい。また、本発明による液晶表示装置の構成は、第１の液晶層から第ｎの液晶層の少なくとも２層以上の液晶層を、吸収型偏光板または反射型偏光板における透過容易軸の直線偏光に対して位相または強度変調を行う様にするのが好ましい。また、本発明による液晶表示装置の構成は、第１の液晶層から第ｎの液晶層の少なくとも２層以上の液晶層に、ツイストネマティック液晶を用いることができる。また、本発明による液晶表示装置の構成は、第１の液晶層から前記第ｎの液晶層の少なくとも２層以上の液晶層に、スーパーツイストネマティック液晶を用いることができる。また、本発明による液晶表示装置の構成は、第１の液晶層から前記第ｎの液晶層の少なくとも２層以上の液晶層に、強誘電性液晶を用いることができる。また、本発明による液晶表示装置の構成は、第１の液晶層から第ｎの液晶層の少なくとも２層以上の液晶層に、反強誘電性液晶を用いることができる。
【手続補正４】
【補正対象書類名】明細書
【補正対象項目名】００１０
【補正方法】変更
【補正の内容】
【００１０】
また、本発明による液晶表示装置の構成は、前述した第１の液晶層から第ｎの液晶層をツイストネマティック液晶とし、吸収型偏光板の透過容易軸と、第１の液晶層の視認側のダイレクタの方向とを平行または直交させ、さらに、第ｋ−１の反射型偏光板の透過容易軸の方向と、第ｋの液晶層の視認側のダイレクタの方向とを平行または直交させて配置した構成を採用するものである。
【手続補正５】
【補正対象書類名】明細書
【補正対象項目名】００１１
【補正方法】変更
【補正の内容】
【００１１】
また、本発明による液晶表示装置の構成は、前述した第ｎの反射型偏光板の視認側とは反対側に反射板を備えても良く、さらに、この第ｎの反射型偏光板の視認側とは反対側にバックライトを備えても良い。このバックライトには、ＥＬ、ＬＥＤ、熱陰極管、または冷陰極管を用いることができる。
【手続補正６】
【補正対象書類名】明細書
【補正対象項目名】００１２
【補正方法】変更
【補正の内容】
【００１２】
また、本発明による液晶表示装置の構成は、前述した第ｎの反射型偏光板の視認側とは反対側に色フィルターを備えても良い。この色フィルターには、吸収型の色偏光板、誘電体多層膜フィルター、または吸収型フィルターを用いることができる。さらに、この色フィルターの視認側とは反対側に反射板を備えても良い。またさらに、この色フィルターの視認側とは反対側にバックライトを備えても良い。このバックライトには、前述したと同様にＥＬ、ＬＥＤ、熱陰極管、または冷陰極管を用いることができる。
【手続補正７】
【補正対象書類名】明細書
【補正対象項目名】００１３
【補正方法】変更
【補正の内容】
【００１３】
また、本発明による液晶表示装置の構成は、前述した第ｎの反射型偏光板の視認側とは反対側に半透過反射板を備え、さらに、半透過反射板の視認側とは反対側にバックライトを備えても良い。このバックライトには、前述したと同様にＥＬ、ＬＥＤ、熱陰極管、または冷陰極管を用いることができる。
【手続補正８】
【補正対象書類名】明細書
【補正対象項目名】００１４
【補正方法】変更
【補正の内容】
【００１４】
また、本発明による液晶表示装置の構成は、前述した色フィルターの視認側とは反対側に半透過反射板を備え、さらに、半透過反射板の視認側とは反対側にバックライトを備えても良い。このバックライトには、前述したと同様にＥＬ、ＬＥＤ、熱陰極管、または冷陰極管を用いることができる。
【手続補正９】
【補正対象書類名】明細書
【補正対象項目名】００１５
【補正方法】削除
【補正の内容】
【手続補正１０】
【補正対象書類名】明細書
【補正対象項目名】００２７
【補正方法】変更
【補正の内容】
【００２７】
さらに本発明の液晶表示装置においては、第ｎ番目の液晶層の視認側と反対側に配置する第ｎ番目の反射型偏光板の下に反射板を設ける構成を採用する。この反射板は、フィルム状基板に銀やアルミニウムやニッケルなどの金属薄膜を形成した部材や、誘電体多層膜を適用する。
【手続補正１１】
【補正対象書類名】明細書
【補正対象項目名】００６３
【補正方法】変更
【補正の内容】
【００６３】
したがって、第１の液晶層１１１から第４の液晶層１１７に電圧を印加しない場合、吸収型偏光板１０１の表面をｘ−ｙ平面としてｚ＝０と定義し右手系で考えることとしたと
き、吸収型偏光板１０１のｚが負となる領域から本発明の液晶表示装置を視認する観察者は、本発明の液晶表示装置が透過状態となるためバックライト点灯時は第４の反射型偏光板１２７の視認側と反対側に配置するバックライト３０１の光を表示の背景として視認することになる。
【手続補正１２】
【補正対象書類名】明細書
【補正対象項目名】００８６
【補正方法】変更
【補正の内容】
【００８６】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト３０１点灯時はバックライト３０１の光が第４の反射型偏光板１２７の視認側と反対側に配置する色フィルター４０１を通し表示の背景として視認することになる。
【手続補正１３】
【補正対象書類名】明細書
【補正対象項目名】００９４
【補正方法】変更
【補正の内容】
【００９４】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト３０１非点灯時は第４の反射型偏光板１２７の視認側と反対側に配置する半透過反射板７０１で反射した光を表示の背景として視認することになる。また、観察者は、バックライト３０１点灯時はバックライト３０１の光が第４の反射型偏光板１２７の視認側と反対側に配置する半透過反射板７０１を通し表示の背景として視認することになる。
【手続補正１４】
【補正対象書類名】明細書
【補正対象項目名】０１０３
【補正方法】変更
【補正の内容】
【０１０３】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト３０１非点灯時は第４の反射型偏光板１２７の視認側と反対側に配置する色フィルター４０１を透過し半透過反射板７０１で反射した光を表示の背景として視認することになる。また、観察者は、バックライト３０１点灯時はバックライト３０１の光が第４の反射型偏光板１２７の視認側と反対側に配置する半透過反射板７０１を通し色フィルターを透過した表示を背景として視認することになる。